(57)【要約】【課題】水田に確実に播種が出来て、発芽に必要な環境を作りだすようにした水稲直播用種子成形体を、均一かつ効率的に大量生産できるようにした、水稲直播用種子成形体製造装置並びに製造方法を提供する。【解決手段】水稲直播用の種子成形体を製造するための製造装置であり、外皮材料を供給するための外皮材料供給機構と、前記外皮材料に種籾を供給するための種籾供給機構と、前記種子成形体の外形を形成するための型部材と、前記種籾及び外皮材料を前記型部材へと送り、前記種子成形体を所定形状とするためのプレス部を有するプレス機構と、前記所定形状となった種子成形体を前記型部材から脱型するための脱型機構と、前記外皮材料供給機構、前記種籾供給機構、前記プレス機構及び前記脱型機構、を同期せしめる同期機構と、を含む、水稲直播用種子成形体製造装置とした。【選択図】図１
2020188732.tif 000002
【特許請求の範囲】
【請求項１】
水稲直播用の種子成形体を製造するための製造装置であり、
外皮材料を供給するための外皮材料供給機構と、
前記外皮材料に種籾を供給するための種籾供給機構と、
前記種子成形体の外形を形成するための型部材と、
前記種籾及び外皮材料を前記型部材へと送り、前記種子成形体を所定形状とするためのプレス部を有するプレス機構と、
前記所定形状となった種子成形体を前記型部材から脱型するための脱型機構と、
前記外皮材料供給機構、前記種籾供給機構、前記プレス機構及び前記脱型機構、を同期せしめる同期機構と、
を含む、水稲直播用種子成形体製造装置。
【請求項２】
前記型部材が少なくとも一対の略半球状の型部材であり、前記プレス機構のプレス部が略半球状とされてなることで、前記種子成形体が略球状に形成されてなる、請求項１記載の水稲直播用種子成形体製造装置。
【請求項３】
前記型部材が並列に複数個設けられてなり、前記プレス機構のプレス部が前記型部材に対応して複数個設けられてなる、請求項１又は２記載の水稲直播用種子成形体製造装置。
【請求項４】
前記脱型機構が、前記型部材に設けられ、所定形状となった種子成形体の背面を押圧するように出没自在に構成された突出ピン部材を有する、請求項１〜３いずれか１項記載の水稲直播用種子成形体製造装置。
【請求項５】
前記外皮材料供給機構及び種籾供給機構が、前記外皮材料及び前記種籾を前記複数個の型部材に連続的に供給する連続的供給機構とされてなり、前記種子成形体が、同時に複数個且つ連続的に製造されるようにした、請求項３記載の水稲直播用種子成形体製造装置。
【請求項６】
請求項１〜５いずれか１項記載の水稲直播用種子成形体製造装置に用いられる型であって、少なくとも一対の略半球状の型部材が並列に複数個設けられてなる、型。
【請求項７】
請求項１〜５いずれか１項記載の水稲直播用種子成形体製造装置で製造される水稲直播用種子成形体であって、
種籾と、
少なくとも粘土質材料及び繊維質材料を含む外皮材料と、
を有し、
前記外皮材料によって前記種籾が包まれてなる、水稲直播用種子成形体。
【請求項８】
請求項１〜５いずれか１項記載の水稲直播用種子成形体製造装置を用いて水稲直播用種子成形体を製造するための製造方法であり、
種籾を種籾供給機構にセットする工程と、
少なくとも粘土質材料及び繊維質材料とから構成される外皮材料を混練する工程と、
前記混練した外皮材料を、前記外皮材料供給機構にセットする工程と、
前記種籾及び外皮材料を前記型部材へと送ってプレスすることで所定形状の種子成形体とする工程と、
前記所定形状となった種子成形体を前記型部材から脱型する工程と、
を含む、水稲直播用種子成形体の製造方法。
【発明の詳細な説明】
【技術分野】
【０００１】
本発明は、水田に確実に播種が出来て、発芽に必要な環境を作りだすようにした水稲直播用種子成形体製造装置並びに製造方法に関する。
【背景技術】
【０００２】
現在の水稲直播は、（１）種籾表面を初期の発芽を助けるため酸素を発生するカルパー粉剤で表面コーティングした種籾を用いて、播種する方法や（２）播種した時に種籾が浮くのを防ぐと共に鳥害を防ぐため鉄粉で表面コーティングをする方法で処理した種籾を機械で播種する方法が主流である（非特許文献１）。
【０００３】
その他の方法では、例えば種籾を入れて紐状やシート状にした方法やカプセルに入れる方法などが提案されたが、いずれも普及していない。水溶性カプセルに種籾を入れた直播体としては、例えば特許文献１がある。
【０００４】
しかし、種籾をコーティングした播種用種籾など水田表面に播くものは、播種前に水田を極めて平たんにする必要があり、播種後の水の深さ管理が極めて難しく、播種後の数日は湛水出来ないため鳥の食害や雑草が生えたり、水が深い場所では種籾が浮いたり流れるなど安定しないという問題があるし、水溶性カプセルなどの被覆物に種籾を入れて球状にする方法は、製造工程が複雑で個々の農家では対応が難しいという問題があり、省力化を目的にする直播栽培として広く普及するに至っていない。
【０００５】
また、水田に多くの種籾を播種するためには、大量生産をする必要性がある。例えば、特許文献２には、複数の粒状物を含む球状粒を簡易に連続的に造粒する方法及び装置が開示されている。しかしながら、特許文献２に開示された装置では、ひも状の担持体を成形した後に、ベルトコンベヤを用いてひも状の担持体を切断するとともに転動させて球状に成形している。この装置及び方法では、機構は複雑で装置も大型になり、ベルトコンベヤで転動させるので粘土がくっ付き易いため、転動しても成形体が均一な球状にならないという問題もある。
【先行技術文献】
【特許文献】
【０００６】
【特許文献１】特開２００４−４１１６４
【特許文献２】特開２００６−２０４２１２
【非特許文献】
【０００７】
【非特許文献１】水稲直播研究会、水稲湛水直播栽培の手引き、平成 24 年 12 月改訂、<http://www.maff.go.jp/j/seisan/ryutu/zikamaki/z_kenkyu_kai/pdf/24chokuha.pdf>
【発明の開示】
【発明が解決しようとする課題】
【０００８】
本発明は上記した従来技術の問題点に鑑みてなされたもので、水田に確実に播種が出来て、発芽に必要な環境を作りだすようにした水稲直播用種子成形体を、均一かつ効率的に大量生産できるようにした、水稲直播用種子成形体製造装置並びに製造方法を提供することを目的とする。
【課題を解決するための手段】
【０００９】
本発明の水稲直播用種子成形体製造装置は、水稲直播用の種子成形体を製造するための製造装置であり、外皮材料を供給するための外皮材料供給機構と、前記外皮材料に種籾を供給するための種籾供給機構と、前記種子成形体の外形を形成するための型部材と、前記種籾及び外皮材料を前記型部材へと送り、前記種子成形体を所定形状とするためのプレス部を有するプレス機構と、前記所定形状となった種子成形体を前記型部材から脱型するための脱型機構と、前記外皮材料供給機構、前記種籾供給機構、前記プレス機構及び前記脱型機構、を同期せしめる同期機構と、を含む、水稲直播用種子成形体製造装置である。
【００１０】
前記型部材が少なくとも一対の略半球状の型部材であり、前記プレス機構のプレス部が略半球状とされてなることで、前記種子成形体が略球状に形成されてなるのが好適である。
【００１１】
前記型部材が並列に複数個設けられてなり、前記プレス機構のプレス部が前記型部材に対応して複数個設けられてなるのが好適である。
【００１２】
前記脱型機構が、前記型部材に設けられ、所定形状となった種子成形体の背面を押圧するように出没自在に構成された突出ピン部材を有する構成であるのが好適である。
【００１３】
前記外皮材料供給機構及び種籾供給機構が、前記外皮材料及び前記種籾を前記複数個の型部材に連続的に供給する連続的供給機構とされてなり、前記種子成形体が、同時に複数個且つ連続的に製造されるように構成するのが好適である。
【００１４】
本発明に係る型は、前記水稲直播用種子成形体製造装置に用いられる型であって、少なくとも一対の略半球状の型部材が並列に複数個設けられてなる型である。
【００１５】
本発明に係る水稲直播用種子成形体は、前記水稲直播用種子成形体製造装置で製造される水稲直播用種子成形体であって、種籾と、少なくとも粘土質材料及び繊維質材料を含む外皮材料と、を有し、前記外皮材料によって前記種籾が包まれてなる、水稲直播用種子成形体である。
【００１６】
本発明に係る水稲直播用種子成形体の製造方法は、前記水稲直播用種子成形体製造装置を用いて水稲直播用種子成形体を製造するための製造方法であり、種籾を種籾供給機構にセットする工程と、少なくとも粘土質材料及び繊維質材料とから構成される外皮材料を混練する工程と、前記混練した外皮材料を、前記外皮材料供給機構にセットする工程と、前記種籾及び外皮材料を前記型部材へと送ってプレスすることで所定形状の種子成形体とする工程と、前記所定形状となった種子成形体を前記型部材から脱型する工程と、を含む、水稲直播用種子成形体の製造方法である。
【発明の効果】
【００１７】
本発明によれば、水田に確実に播種が出来て、発芽に必要な環境を作りだすようにした水稲直播用種子成形体を、均一かつ効率的に大量生産できるようにした、水稲直播用種子成形体製造装置並びに製造方法を提供することができるという著大な効果を奏する。
【図面の簡単な説明】
【００１８】
【図１】本発明の水稲直播用種子成形体製造装置の一つの実施の形態を示す斜視図である。
【図２】図１の水稲直播用種子成形体製造装置の背面側からみた斜視図である。
【図３】図１の水稲直播用種子成形体製造装置の要部分解図である。
【図４】図１の水稲直播用種子成形体製造装置の一対の型部材を示す斜視図である。
【図５】図１の水稲直播用種子成形体製造装置の要部模式説明図である。
【図６】図１の水稲直播用種子成形体製造装置の要部動作説明図であって、種子成形体の製造前の状態を示す。
【図７】図１の水稲直播用種子成形体製造装置の要部動作説明図であって、種子成形体の製造中の状態を示す。
【図８】図１の水稲直播用種子成形体製造装置の要部模式説明図であって、種子成形体の製造後の状態を示す。
【発明を実施するための形態】
【００１９】
以下に本発明の実施の形態を説明するが、これらは例示的に示されるもので、本発明の技術思想から逸脱しない限り種々の変形が可能なことはいうまでもない。
【００２０】
図１〜図８に、本発明の水稲直播用種子成形体製造装置の一つの実施の形態を示す。
【００２１】
水稲直播用種子成形体製造装置１０は、図５に示されるような水稲直播用の種子成形体１２を製造するための製造装置であり、図１〜３によく示されるように、外皮材料１４を供給するための外皮材料供給機構１６と、前記外皮材料１４に種籾１８を供給するための種籾供給機構２０と、前記種子成形体１２の外形を形成するための型部材２２ａ，２２ｂと、前記種籾１８及び外皮材料１４を前記型部材２２ａ，２２ｂへと送り、前記種子成形体１２を所定形状とするためのプレス部２４を有するプレス機構２６と、前記所定形状となった種子成形体１２を前記型部材２２ａ，２２ｂから脱型するための脱型機構２８ａ，２８ｂと、前記外皮材料供給機構１６、前記種籾供給機構２０、前記プレス機構２６及び前記脱型機構２８ａ，２８ｂ、を同期せしめる同期機構２９と、を含む、水稲直播用種子成形体製造装置である。
【００２２】
図４によく示されるように、前記型部材２２ａと前記型部材２２ｂとは、それぞれが略半球状の型部材であり、対とされている。また、図５などによく示されるように、前記プレス機構２６のプレス部２４が略半球状とされている。このため、前記種子成形体１２は図５などに示されるように、略球状に形成される。なお、図４では、前記型部材２２ａと前記型部材２２ｂとが内側が見えるように示したが、前記型部材２２ａと前記型部材２２ｂは図５に示すように互いに向き合って配置される。
【００２３】
前記型部材２２ａと前記型部材２２ｂの内表面には、フッ素樹脂加工が施されており、外皮材料１４の粘土成分がくっ付きにくい処理がされている。これにより、脱型処理がさらにスムーズとなる。このように、前記型部材２２ａと前記型部材２２ｂの内表面には、外皮材料１４の粘土成分がくっ付きにくいように、非粘着性処理を施すのが好ましい。
【００２４】
前記型部材２２ａと前記型部材２２ｂには、半球状の型本体部分に孔６４ａ，６４ｂが形成されており、後述する突出ピン６０ａ，６０ｂが、前記孔６４ａ，６４ｂにそれぞれ出没可能に挿通される。また、前記型部材２２ａと前記型部材２２ｂには、前記プレス機構２６のプレス部２４が挿通されるための切り欠き部６６ａ，６６ｂが形成されている。前記プレス機構２６の後述するプレス部２４が、図５〜８によく示されるように、切り欠き部６６ａ，６６ｂに挿通されて、種子成形体１２を押圧する。
【００２５】
また、前記型部材２２ａ，２２ｂは、図４に示すように、並列に複数個設けられてなり、図２〜図３，図５〜８に示されるように、前記プレス機構２６のプレス部２４が前記型部材２２ａ，２２ｂに対応して複数個設けられている。図示例では、プレス機構２６には櫛歯状のプレス板３０が設けられており、櫛歯部分の先端がプレス部２４とされている。
【００２６】
前記脱型機構２８ａ，２８ｂは、前記型部材２２ａ，２２ｂに設けられており、所定形状となった種子成形体１２の背面を押圧するように出没自在に構成された突出ピン部材を有する構成とされている。
【００２７】
前記外皮材料供給機構１６、種籾供給機構２０、前記プレス機構２６及び前記脱型機構２８ａ，２８ｂは同期機構２９で同期せしめられており、また、前記外皮材料供給機構１６及び種籾供給機構２０は前記外皮材料１４及び前記種籾１８を前記複数個の型部材２２ａ，２２ｂに連続的に供給する連続的供給機構とされている。
【００２８】
具体的には、図３及び図６〜８によく示される。図３及び図６〜８によく示されるように、鋼製握り３６を有するクランクハンドル３８を回すと、回転欠歯ギア４０が回転する。回転欠歯ギア４０には、複数の平歯車４２ａ，４２ｂ，４２ｃ，４２ｄが噛合せしめられており、タイミングプーリ５２及びタイミングベルト５４を介して、前記型部材２２ａ，２２ｂは一度開いてから接近して閉じた状態となる（図６参照）。なお、図示の例では、型部材２２ｂは固定しており、型部材２２ａが型部材２２ｂに対して接離自在の構成とされている。また、上記した手動のクランクハンドル３８の代わりにモータを使用すれば更に生産性が上がる。
【００２９】
回転欠歯ギア４０は、１／４のみ歯があるので、このギアを１回転させると平歯車４２ｂ→平歯車４２ａ→平歯車４２ｄ→平歯車４２ｃの順にそれぞれの駆動ギアである平歯車が回転して造形作業を連続して行う。
【００３０】
前記外皮材料供給機構１６はラック部材３２を備えた押圧版３４を有している。前記クランクハンドル３８を回すと、回転欠歯ギア４０が回転し、押圧版３４が、外皮材料１４を押し出す。外皮材料供給機構１６はこのようにして、適度な水分で混合した外皮材料１４を押し出して連続的に前記型部材２２ａ，２２ｂへと供給し、充填する。
【００３１】
また、図１〜３及び図５〜８によく示されるように、前記クランクハンドル３８を回すと、回転欠歯ギア４０が回転し、タイミングプーリ４４及びタイミングベルト４６を介して、ホッパー４８内に取り付けられたロータリフィーダ５０が回転せしめられる。ロータリフィーダ５０の回転により、ホッパー４８内の種籾１８が落ちて外皮材料１４上に連続的に供給されて、前記型部材２２ａ，２２ｂへと供給される。種籾供給機構２０はこのようにして、連続的に種籾１８を前記型部材２２ａ，２２ｂへと供給する。押し出された外皮材料１４の上に種籾１８を５〜６粒落下させるため、ロータリフィーダ５０は、種籾１８を計量するための溝が形成されており、ロータリフィーダ５０が回転することで種籾１８が軽量されながら投入される。
【００３２】
さらに、図１〜３及び図５〜８によく示されるように、前記クランクハンドル３８を回すと、回転欠歯ギア４０が回転し、タイミングプーリ５６及びタイミングベルト５８を介して、櫛歯状のプレス板３０が下降し、前記種籾１８ごと前記外皮材料１４を押圧して前記型部材２２ａ，２２ｂに押し込む。櫛歯状のプレス板３０の櫛歯部分の先端が略半球状のプレス部２４とされているので、前記種籾１８ごと押し込まれた前記外皮材料１４は種籾１８を含有する略球状の種子成形体１２である種子球となる（図７参照）。この時に種籾１８は外皮材料１４の中に沈んで行き、外皮材料１４にくるまれた状態になり、球状に固まる（図５）。種子成形体１２を押圧して所定形状にしたら、前記プレス板３０は上昇して元の位置に戻る。
【００３３】
またさらに、図１〜３及び図５〜８によく示されるように、前記クランクハンドル３８を回すと、回転欠歯ギア４０が回転し、タイミングプーリ５２及びタイミングベルト５４を介して、前記型部材２２ａが前記型部材２２ｂから離れるので、前記型部材２２ａ，２２ｂが開いた状態となる。このとき、脱型機構２８ａ，２８ｂの突出ピン６０ａ，６０ｂが種子成形体１２の背面を押圧するように突出する（図７）。これにより、種子成形体１２が脱型する。突出ピン６０ａ，６０ｂは出没自在に構成されており、前記クランクハンドル３８を回すと、引っ込んで元の位置に戻る。脱型の後には種子成形体１２を適度に乾燥させる。
【００３４】
このようにして、前記外皮材料供給機構１６、種籾供給機構２０、前記プレス機構２６及び前記脱型機構２８ａ，２８ｂは同期機構２９で同期せしめられており、前記外皮材料供給機構１６及び種籾供給機構２０が前記外皮材料１４及び前記種籾１８を前記複数個の型部材２２ａ，２２ｂに連続的に供給して、前記プレス機構２６が、前記種籾１８ごと前記外皮材料１４を連続的にプレスすることで、前記種子成形体１２が、同時に複数個且つ連続的に製造される。
【００３５】
前記外皮材料１４としては粘土が好適である。また、前記外皮材料１４の原材料としては粘土粉に加えて稲の籾殻燻炭（多孔質体）を粉砕した微粉と乾燥稲藁を粉砕した微粉（繊維質肥料）を水で練ったものを使用するのが好適である。粘土粉は繊維質の紛の材料と混合して水で練ると、容易に形状を維持して、直ぐに乾燥して固くなる。乾燥して固くなっていても、外から水を吸うと徐々に中の繊維材料が膨張して崩れやすい性質が有る。
【００３６】
前記外皮材料１４に用いられる粘土粉以外の材料としては、繊維質であり、種籾の発芽を阻害せずに粉状にしても空気を内包して、水を吸うと膨張する機能があれば良く、配合比率も粘土粉と混合して表面を包み球形を保持できものであれば使用可能である。特に、水稲の籾殻や稲藁を粉砕して微粉として使用するのが好適である。特にこれらの材料は、球の中に多くの空気を内包して、球の中の種子が発芽成長する助けになるからである。さらに、微粉にすることにより、土中で速やかに腐食し、苗の成長を妨げることがないという利点がある。
【００３７】
前記外皮材料１４の原材料の粒度は１００μｍ〜３００μｍ程度であれば混合に適している。下記の（Ａ）成分の蛙目粘土や木節粘土などの水簸（すいひ）粘土粉に、下記の（Ｂ）〜（Ｄ）の成分の原材料もしくは同じような性質を持つ粉材料を、種子球の外皮として適合する比率で配合して前記外皮材料１４とするのが好適である。
【００３８】
（Ａ）成分：蛙目粘土や木節粘土などの水簸（すいひ）粘土粉１０〜３０％。（Ａ）成分は他の材料と混合して種籾の入った球形を保持する固定剤になる。
（Ｂ）成分：籾殻燻炭粉砕粉３０〜４０％。稲作で大量に出る籾殻を燻炭にして粉砕する。粘土粉だけでは固くかたまってしまうので、種子球をゆるく固めるために使用する。また、多孔質のため空気を内包するので発芽を促進する役目もある。
（Ｃ）成分：乾燥稲藁の粉砕粉３０〜４０％。繊維質が多いので水を吸って膨張する機能があり、籾殻燻炭粉の性質と補完し合って種籾の発芽を促進する役目がある。
（Ｄ）成分：過酸化カルシウムなどの酸素発生剤５〜１５％。種子が発芽する時は酸素が必要であり、過酸化カルシウムは水と結合して酸素を発生させるので、必要に応じて使用する。
【００３９】
本発明の型６２は、図４に示されるように、上述した水稲直播用種子成形体製造装置１０に用いられる型であって、少なくとも一対の略半球状の型部材２２ａ，２２ｂが並列に複数個設けられてなる型である。
【００４０】
本発明の水稲直播用種子成形体１２は、上述した水稲直播用種子成形体製造装置１０で製造される水稲直播用種子成形体である。水稲直播用種子成形体１２は、種籾１８と、少なくとも粘土質材料及び繊維質材料を含む外皮材料１４と、を有し、前記外皮材料１４によって前記種籾１８が包まれてなる、水稲直播用種子成形体である。
【００４１】
本発明の水稲直播用種子成形体を製造するための製造方法は、上述した水稲直播用種子成形体製造装置１０を用いて水稲直播用種子成形体１２を製造するための製造方法であり、種籾１８を種籾供給機構２０にセットする工程と、少なくとも粘土質材料及び繊維質材料とから構成される外皮材料１４を混練する工程と、前記混練した外皮材料１４を、前記外皮材料供給機構１６にセットする工程と、前記種籾１８及び外皮材料１４を前記型部材２２ａ，２２ｂへと送ってプレスすることで所定形状の種子成形体１２とする工程と、前記所定形状となった種子成形体１２を前記型部材２２ａ，２２ｂから脱型する工程と、を含む、水稲直播用種子成形体の製造方法である。
【００４２】
種籾１８としては、鳩胸状に芽出しした種籾が好適に用いられる。鳩胸状に芽出しした種籾１８を種籾供給機構２０にセットするのが好適である。また、外皮材料１４を良く混合してから水を加えて、軽く握っても塊にならない程度の固さ（ややパサパサした状態）に練ってから外皮材料供給機構１６にセットするのが好適である。また、前記型部材２２ａ，２２ｂから脱型した種子成形体１２は適度に乾燥させるのが好ましい。
【００４３】
本発明の製造方法によれば、種子成形体１２を連続して作れて、中に空気と水分が適度に残り、田植えの数日前から準備しても種籾が中で生きている。水田の土中に直播するので、種籾１８は土中で安定して発芽し、土表面に直播された種籾につきものの苗転びも無くなり生育が良いのが特徴である。
【００４４】
種子は発芽するのに酸素が必要で、鳥の食害や流失を防ぐために土中に播種すると酸素欠乏で発芽が困難になり、苗揃いが悪く、水中に播くと発芽の不揃いや転び苗、浮き苗になって欠株が多く発生してしまう。また初期に除草剤を散布したくても種籾が水中にあると、除草剤により発芽が阻害されるので、湛水直播では除草剤が使用できない難点がある。この欠点を解決するために発芽に必要な外皮材にくるまれた球状の種子成形体を作り、土中に播種して鳥の食害を防ぐと共に、種籾が発芽成長するに必要な環境を作る本発明の種子成形体の製造に成功した。
【００４５】
また、本発明の種子球製造方法が普及すれば、育苗箱、育苗用土、播種機、育苗ハウスがすべて不要になり、散水などの管理も不要になり省力化と低コストになる。また、田植え機も苗を載せる必要が無く、苗を植える装置も不要なり、軽くシンプルな構造になる。さらに球状の種子成形であれば水田に溝を付けて軽く埋没させることが出来るので、同時施肥、同時薬剤散布も安全に確実に出来る。このように、本発明は省力化とコスト削減につながる膨大な効果を生み出すのである。
【００４６】
＜播種した後の発芽と生育＞
種子成形体１２は土中に埋没するように播種できるので、鳥の食害を防ぎ、水田が少々凸凹で水の深さが不均質であっても、種籾が安定して成長する環境が作れる。さらに外皮材料１４は水田に播種されると水により外皮の中の繊維分が膨張して徐々に溶解し、内部の種籾１８は籾殻燻炭粉及び稲藁粉などの繊維内に囲まれて発芽が促進され、成長が安定する。このため種子成形体１２の種籾１８の苗は成長しやすく、苗は長さ２〜３ｃｍに育ってから地表に出てくるので苗揃いが良く、苗立ちもしっかりする。
【符号の説明】
【００４７】
１０：水稲直播用種子成形体製造装置、１２：水稲直播用の種子成形体、１４：外皮材料、１６：外皮材料供給機構、１８：種籾、２０：種籾供給機構、２２ａ，２２ｂ：型部材、２４：プレス部、２６：プレス機構、２８ａ，２８ｂ：脱型機構、２９：同期機構、３０：櫛歯状のプレス板、３２：ラック部材、３４：押圧版、３６：鋼製握り、３８：クランクハンドル、４０：回転欠歯ギア、４２ａ，４２ｂ，４２ｃ，４２ｄ：平歯車、４４，５２，５６：タイミングプーリ、４６，５４，５８：タイミングベルト、４８：ホッパー、５０：ロータリフィーダ、６０ａ，６０ｂ：突出ピン、６２：型、６４ａ，６４ｂ：孔、６６ａ，６６ｂ：切り欠き部。
【図１】
2020188732.tif 000003
【図２】
2020188732.tif 000004
【図３】
2020188732.tif 000005
【図４】
2020188732.tif 000006
【図５】
2020188732.tif 000007
【図６】
2020188732.tif 000008
【図７】
2020188732.tif 000009
【図８】
2020188732.tif 000010